(57)【要約】【課題】被操作部をより小さな押圧力で操作することができ、良好な操作性を実現することができる操作装置を提供する。【解決手段】操作装置１は、筒状のケース部材２と、ケース部材２の開口部２１５に配置されるとともに、回動可能に軸支され、かつ、自身の回動軸ＣＬ２を挟むように位置する閉時押圧対象部６２及び開時押圧対象部６３を有する被操作部６とを備える。排水口が閉状態のときには、閉時押圧対象部６２の表面に押圧力を加えることで排水口を開状態へと切換可能とされる一方、排水口が開状態のときには、開時押圧対象部６３の表面に押圧力を加えることで排水口を閉状態へと切換可能とされる。被操作部６の回動軸ＣＬ２は、当該回動軸ＣＬ２と直交する方向に沿った被操作部６の中心ＣＮ１よりも開時押圧対象部６３側へとずれた位置に設けられる。【選択図】      図３
2019031819.tif 000002
【特許請求の範囲】
【請求項１】
槽体の排水口を開閉するための栓蓋を遠隔操作するための操作装置であって、
前記槽体又は前記槽体の近傍に設けられた構造物の取付孔に挿設された筒状のケース部材と、
前記ケース部材の開口部に配置されるとともに、回動可能に軸支され、かつ、自身の回動軸を挟むように位置する閉時押圧対象部及び開時押圧対象部を有する被操作部と、
前記被操作部の回動による駆動力を前記栓蓋側へと伝達する伝達体とを備え、
前記排水口が閉状態のときには、前記閉時押圧対象部の表面に押圧力を加えることで前記排水口を開状態へと切換可能とされる一方、前記排水口が開状態のときには、前記開時押圧対象部の表面に押圧力を加えることで前記排水口を閉状態へと切換可能とされ、
前記被操作部の回動軸は、当該回動軸と直交する方向に沿った前記被操作部の中心よりも前記開時押圧対象部側へとずれた位置に設けられていることを特徴とする操作装置。
【請求項２】
前記排水口が開状態であるとき、前記閉時押圧対象部及び前記開時押圧対象部のそれぞれの表面が前記ケース部材の端面とほぼ面一となるように構成されていることを特徴とする請求項１に記載の操作装置。
【請求項３】
前記排水口が閉状態であるとき、前記閉時押圧対象部及び前記開時押圧対象部のそれぞれの表面が前記ケース部材の端面とほぼ面一となるように構成されていることを特徴とする請求項１に記載の操作装置。
【請求項４】
前記排水口が開状態であるとき、前記開時押圧対象部の表面が前記ケース部材の端面から突出し、前記排水口が閉状態であるとき、前記閉時押圧対象部の表面が前記ケース部材の端面から突出するように構成されていることを特徴とする請求項１に記載の操作装置。
【請求項５】
前記開時押圧対象部は、前記排水口が開状態であるとき、自身の表面が前記ケース部材の端面から突出する一方、前記排水口が閉状態であるとき、自身の表面が前記ケース部材内に没入した状態となるように構成されていることを特徴とする請求項１に記載の操作装置。
【請求項６】
前記排水口が開状態であるとき、前記開時押圧対象部の表面が前記ケース部材の端面とほぼ面一となる一方、前記閉時押圧対象部の表面が前記ケース部材内に没入し、
前記排水口が閉状態であるとき、前記開時押圧対象部の表面が前記ケース部材内に没入する一方、前記閉時押圧対象部の表面が前記ケース部材の端面とほぼ面一となるように構成されていることを特徴とする請求項１に記載の操作装置。
【請求項７】
前記被操作部は、前記排水口が開状態であるときに前記開口部を閉鎖するように構成されており、
前記取付孔は、前記槽体に設けられたオーバーフロー口であり、
前記ケース部材に対し、内部空間が前記排水口を流れる排水の流路と連通するように構成された筒状のオーバーフロー管が接続されていることを特徴とする請求項１乃至６のいずれか１項に記載の操作装置。
【発明の詳細な説明】
【技術分野】
【０００１】
本発明は、槽体の排水口に設けられる栓蓋を遠隔操作するための操作装置に関する。
【背景技術】
【０００２】
従来、槽体（例えば、浴槽や洗面ボールなど）の排水口を開閉するための栓蓋を遠隔操作する操作装置が知られている。操作装置としては、所定の取付孔（例えば、オーバーフロー口など）に挿設された筒状のケース部材と、当該ケース部材内において当該ケース部材の軸方向に沿って往復移動可能な被操作部（例えば、操作ボタン等）と、当該被操作部の変位を栓蓋側へと伝達することで栓蓋を上下動させる伝達体（例えば、ワイヤー等）とを具備するものが知られている（例えば、特許文献１等参照）。この操作装置では、被操作部を押圧することで、排水口の開閉状態を切換えることができるようになっている。
【０００３】
また、操作装置としては、被操作部を押圧し伝達体が所定方向に動作することで、排水口が閉状態から開状態へと切り替わり、一方、被操作部を引き伝達体が前記所定方向とは逆の戻り方向に動作することで、排水口が開状態から閉状態へと切り替わるように構成したものもある。
【先行技術文献】
【特許文献】
【０００４】
【特許文献１】特開２００４−１８３２２５号公報
【発明の概要】
【発明が解決しようとする課題】
【０００５】
ところで、排水口を閉状態から開状態に切換える際、つまり、栓蓋を持ち上げる際には、被操作部の操作に比較的大きな押圧力が必要となる。特に槽体に水が溜まっているときには、より大きな押圧力が必要となる。しかしながら、従前の操作装置は、排水口を閉状態から開状態へと切換える際に、被操作部を単に押圧操作する構成であるため、被操作部へと大きな押圧力を加える必要がある。そのため、操作性（操作感）が非常に良いとは言い難い。
【０００６】
本発明は、上記事情に鑑みてなされたものであり、その目的は、被操作部をより小さな押圧力で操作することができ、良好な操作性を実現することができる操作装置を提供することにある。
【課題を解決するための手段】
【０００７】
以下、上記目的を解決するのに適した各手段につき、項分けして説明する。なお、必要に応じて対応する手段に特有の作用効果を付記する。
【０００８】
手段１．槽体の排水口を開閉するための栓蓋を遠隔操作するための操作装置であって、
前記槽体又は前記槽体の近傍に設けられた構造物の取付孔に挿設された筒状のケース部材と、
前記ケース部材の開口部に配置されるとともに、回動可能に軸支され、かつ、自身の回動軸を挟むように位置する閉時押圧対象部及び開時押圧対象部を有する被操作部と、
前記被操作部の回動による駆動力を前記栓蓋側へと伝達する伝達体とを備え、
前記排水口が閉状態のときには、前記閉時押圧対象部の表面に押圧力を加えることで前記排水口を開状態へと切換可能とされる一方、前記排水口が開状態のときには、前記開時押圧対象部の表面に押圧力を加えることで前記排水口を閉状態へと切換可能とされ、
前記被操作部の回動軸は、当該回動軸と直交する方向に沿った前記被操作部の中心よりも前記開時押圧対象部側へとずれた位置に設けられていることを特徴とする操作装置。
【０００９】
上記手段１によれば、排水口を閉状態から開状態に切換える場合、つまり、栓蓋を持ち上げるために、被操作部の操作に比較的大きな押圧力が必要となる場合（尚、槽体に水が溜まっているときには特に大きな押圧力が必要となる）には、閉時押圧対象部が操作対象となる。一方、排水口を開状態から閉状態に切換える場合、つまり、栓蓋を下げるだけでよいため、排水口を閉状態から開状態へと切換える場合と比較して、切換に要する押圧力が小さくて済む場合には、開時押圧対象部が操作対象となる。
【００１０】
その上で、上記手段１によれば、被操作部の回動軸は、被操作部の中心よりも開時押圧対象部側へとずれた位置に設けられている。従って、閉時押圧対象部が操作対象である場合、押圧移動量（ストローク量）は比較的大きなものとなるが、小さな押圧力で被操作部を回動させることができる。一方、開時押圧対象部が操作対象である場合、押圧力はやや大きなものとなるが、小さな押圧移動量（ストローク量）で被操作部を回動させることができる。このように上記手段１によれば、通常大きな押圧力が必要となる、排水口を閉状態から開状態へと切換える場合には、閉時押圧対象部を操作対象とすることで、切換に要する押圧力の低減を図ることができ、一方、通常押圧力が小さくて済む、排水口を開状態から閉状態へと切換える場合には、開時押圧対象部を操作対象とすることで、切換に要する押圧移動量（ストローク量）の低減を図ることができる。その結果、被操作部の操作を極めて容易に行うことができ、非常に良好な操作性（操作感）を得ることができる。
【００１１】
また、上記手段１によれば、被操作部を引くことなく、常に押圧することによって、排水口を開閉することができる。従って、排水口を開状態又は閉状態へと切換える際に被操作部の操作方向が異なる場合と比して、操作をより容易に行うことが可能となり、操作性をさらに高めることができる。
【００１２】
加えて、上記手段１における操作装置は、被操作部を回動させることで栓蓋の操作を行うものである。そのため、被操作部を往復移動させることで栓蓋の操作を行う従来の操作装置とは全く異なる新鮮な操作感を使用者に与えることができる。
【００１３】
尚、上記手段１によれば、被操作部の回動にて生じる駆動力のみによって伝達体を動作させて、排水口を開閉させるといったこともできる。従って、伝達体を戻り方向に動作させるための戻り力付与部（例えば、ばね部材など）を不要とすることも可能である。戻り力付与部をなくした場合には、製造コストの低減を図ることができる。また、戻り力付与部の存在によって操作時に大きな押圧力が必要になるといったこともないため、操作性を一層向上させることができる。
【００１４】
手段２．前記排水口が開状態であるとき、前記閉時押圧対象部及び前記開時押圧対象部のそれぞれの表面が前記ケース部材の端面とほぼ面一となるように構成されていることを特徴とする手段１に記載の操作装置。
【００１５】
尚、「ほぼ面一」とあるのは、厳密な面一のみを意味するものではなく、若干（例えば、５ｍｍ以下）の凹凸や隙間、段差が存在する場合も含むという趣旨である（以下、同様）。従って、例えば、ケース部材の端面から閉時押圧対象部などの表面にかけて若干の段差があってもよい。
【００１６】
上記手段２によれば、排水口を開状態としたときに、閉時押圧対象部及び開時押圧対象部のそれぞれの表面、すなわち被操作部の表面がケース部材の端面とほぼ面一となる。従って、少なくとも排水口が開状態であるときには、被操作部が邪魔となりにくくなり、使用者にとっての使い勝手を高めることができる。また、被操作部の表面がケース部材の端面とほぼ面一となることで、被操作部に対して手などが引っ掛かりにくくなり、安全性の向上を図ることができる。さらに、被操作部及びケース部材の端面をほぼ面一とした状態において、ケース部材及び被操作部は外観上非常にまとまりの良い状態となり、見栄えをより良好なものとすることができる。
【００１７】
また、上記手段２によれば、排水口を閉状態としたときには、閉時押圧対象部の表面がケース部材の端面から突出した状態となる。すなわち、排水口を閉状態としたときには、排水口を開状態へと切換える際に操作対象となる部位がケース部材の端面から突出した状態となる。従って、使用者に対し操作対象を容易に認識させることができる。また、操作時には、被操作部における突出部分を押圧することになるため、押圧操作を極めて容易に行うことができる。これらの結果、操作性の更なる向上を図りつつ、使い勝手をより高めることができる。
【００１８】
さらに、上記手段２によれば、閉時押圧対象部は、常にケース部材の端面と面一な状態又はケース部材の端面から突出した状態となることから視認しやすいところ、この閉時押圧対象部の移動量（ストローク量）が比較的大きいため、排水口の開閉状態に応じて、外観上、被操作部の状態を大きく変動させることができる。そのため、被操作部の状態から排水口の開閉状態を把握することが容易となり、使い勝手を一層高めることができる。
【００１９】
ところで、上記手段２においては、排水口を開状態から閉状態へと切換える際に、開時押圧対象部の表面をケース部材内へと押し込む操作が必要となるが、通常、押し込み操作は行いにくい。しかし、上記手段１の構成により、排水口を開状態から閉状態へと切換える際に要する開時押圧対象部の押圧移動量は小さくて済む。そのため、押し込み操作を容易なものとすることができ、良好な操作性を得ることができる。
【００２０】
尚、上記手段２の構成は、槽体が洗面ボール（洗面器）や流し台などである場合に特に有効である。このような槽体では、使用時に、基本的には排水口が開状態とされるため、排水口が開状態であるときが通常状態である。従って、上記手段２により、排水口が開状態であるときに閉時押圧対象部等の表面とケース部材の端面とがほぼ面一となるように構成することで、通常状態において、被操作部が邪魔とならず、また、外観上まとまりの良い状態を実現することができる。そのため、使い勝手や見栄えなどを効果的に向上させることができる。
【００２１】
手段３．前記排水口が閉状態であるとき、前記閉時押圧対象部及び前記開時押圧対象部のそれぞれの表面が前記ケース部材の端面とほぼ面一となるように構成されていることを特徴とする手段１に記載の操作装置。
【００２２】
上記手段３によれば、排水口を閉状態としたときに、被操作部の表面がケース部材の端面とほぼ面一となるため、被操作部に対して手などが引っ掛かりにくくなり、安全性の向上を図ることができる。さらに、被操作部及びケース部材の端面をほぼ面一とした状態において、ケース部材及び被操作部は外観上非常にまとまりの良い状態となり、見栄えをより良好なものとすることができる。
【００２３】
また、上記手段３によれば、排水口を開状態としたときには、開時押圧対象部の表面がケース部材の端面から突出した状態となる。すなわち、排水口を開状態としたときには、排水口を閉状態へと切換える際に操作対象となる部位がケース部材の端面から突出した状態となる。従って、使用者に対し操作対象を容易に認識させることができる。また、操作時には、被操作部における突出部分を押圧することになるため、押圧操作を極めて容易に行うことができる。これらの結果、操作性の更なる向上を図りつつ、使い勝手をより高めることができる。
【００２４】
加えて、被操作部の回動軸がずれているため、開時押圧対象部がケース部材の端面から突出した状態となったときには、ケース部材の端面に対する開時押圧対象部の突出量を小さく抑えることができる。そのため、安全性の向上をより確実に図ることができる。
【００２５】
尚、上記手段３の構成は、槽体が浴槽などである場合に特に有効である。このような槽体では、使用時に、基本的には排水口が閉状態とされるため、排水口が閉状態であるときが通常状態である。従って、上記手段３により、排水口が閉状態であるときに閉時押圧対象部等の表面とケース部材の端面とがほぼ面一となるように構成することで、通常状態において、被操作部が邪魔とならず、また、外観上まとまりの良い状態を実現することができる。そのため、使い勝手や見栄えなどを効果的に向上させることができる。
【００２６】
手段４．前記排水口が開状態であるとき、前記開時押圧対象部の表面が前記ケース部材の端面から突出し、前記排水口が閉状態であるとき、前記閉時押圧対象部の表面が前記ケース部材の端面から突出するように構成されていることを特徴とする手段１に記載の操作装置。
【００２７】
上記手段４によれば、排水口が開状態であるとき、開時押圧対象部の表面がケース部材の端面から突出した状態となる一方、排水口が閉状態であるとき、閉時押圧対象部の表面がケース部材の端面から突出した状態となる。すなわち、両押圧対象部のうち操作対象となる側が、ケース部材の端面から突出した状態となる。従って、使用者に対し操作対象をより容易に認識させることができる。また、操作時には、被操作部における突出部分を押圧することになるため、押圧操作を極めて容易に行うことができる。これらの結果、操作性や使い勝手の更なる向上を図ることができる。
【００２８】
尚、上記手段４の構成に合わせて、「前記排水口が開状態であるとき、前記閉時押圧対象部の表面が前記ケース部材の端面とほぼ面一となり、前記排水口が閉状態であるとき、前記開時押圧対象部の表面が前記ケース部材の端面とほぼ面一となる」という構成を採用してもよい。この場合には、開時押圧対象部及び閉時押圧対象部のうち操作対象でない側の表面は、ケース部材の端面とほぼ面一となり、目立たない状態となる。そのため、使用者が操作対象を一層容易に認識することができる。また、見栄えなどの向上を一層確実に図ることができる。
【００２９】
手段５．前記開時押圧対象部は、前記排水口が開状態であるとき、自身の表面が前記ケース部材の端面から突出する一方、前記排水口が閉状態であるとき、自身の表面が前記ケース部材内に没入した状態となるように構成されていることを特徴とする手段１に記載の操作装置。
【００３０】
上記手段５によれば、排水口を開状態から閉状態へと切換える際に、突出状態の開時押圧対象部の表面を押圧することになるため、押圧操作を容易に行うことができる。また、突出した開時押圧対象部は、操作（押圧）対象を示す目印としても機能する。さらに、ケース部材内への開時押圧対象部の押込量（ケース部材の端面に対する開時押圧対象部の没入量）を小さくすることも可能となる。これらの結果、操作性や使い勝手を一層向上させることができる。
【００３１】
一方、上記手段５によれば、排水口が閉状態であるとき、開時押圧対象部の表面はケース部材内に没入した状態となるため、排水口を閉状態から開状態へと切換える際に、誤って開時押圧対象部を押圧してしまうといった事態がより生じにくくなる。従って、操作性や使い勝手などをより効果的に向上させることができる。
【００３２】
尚、上記手段５によれば、排水口が閉状態であるときに開時押圧対象部の表面はケース部材内に没入した状態となるため、結果的に、排水口が開状態であるときにおける開時押圧対象部の突出量を小さく抑えることができる。そのため、常に（排水口が開状態であっても閉状態であっても）開時押圧対象部が邪魔となりにくい状態を実現することができ、安全性や利便性を一層高めることができる。
【００３３】
手段６．前記排水口が開状態であるとき、前記開時押圧対象部の表面が前記ケース部材の端面とほぼ面一となる一方、前記閉時押圧対象部の表面が前記ケース部材内に没入し、
前記排水口が閉状態であるとき、前記開時押圧対象部の表面が前記ケース部材内に没入する一方、前記閉時押圧対象部の表面が前記ケース部材の端面とほぼ面一となるように構成されていることを特徴とする手段１に記載の操作装置。
【００３４】
上記手段６によれば、排水口が開状態であっても閉状態であっても、被操作部がケース部材の端面から突出した状態とはならない。従って、常にすっきりとした外観を呈することとなり、より良好な見栄えを実現することができる。また、被操作部に対し手や道具（器具）などが引っ掛かるといった事態がほぼ生じなくなり、安全性や利便性の向上を一層図ることができる。
【００３５】
また、上記手段６によれば、両押圧対象部のうち操作対象となる側の表面が、ケース部材の端面とほぼ面一となり、操作対象ではない側の表面は、ケース部材内に没した状態となる。従って、使用者に対し操作対象をより容易に認識させることができ、操作性や使い勝手を十分に高めることができる。
【００３６】
手段７．前記被操作部は、前記排水口が開状態であるときに前記開口部を閉鎖するように構成されており、
前記取付孔は、前記槽体に設けられたオーバーフロー口であり、
前記ケース部材に対し、内部空間が前記排水口を流れる排水の流路と連通するように構成された筒状のオーバーフロー管が接続されていることを特徴とする手段１乃至６のいずれかに記載の操作装置。
【００３７】
尚、「開口部を閉鎖した状態」とは、ケース部材と被操作部の外縁部との間に隙間が全く存在しない状態のみならず、ケース部材と被操作部の外縁部との間に若干（例えば、１ｍｍ以下）の隙間が存在する状態も含む。
【００３８】
上記手段７によれば、排水口を開状態としたときに、被操作部によってケース部材の開口部が閉鎖された状態となる。従って、ケース部材内の汚れなどが視認しにくい状態となり、見栄えをより一層向上させることができる。
【００３９】
また、上記手段７のように、ケース部材にオーバーフロー管が接続されている場合、排水口や排水の流路で生じた泡がオーバーフロー管を通って、ケース部材内へと上がってきてしまい、ケース部材の開口部から溢れ出てしまうおそれがある。開口部から泡が溢れ出てしまうと、衛生性や快適性の低下を招いてしまうおそれがある。
【００４０】
この点、上記手段７によれば、排水口が開状態であるとき、つまり、排水口などで泡が特に生じやすいときに、被操作部によってケース部材の開口部が閉鎖される。従って、オーバーフロー管を泡が上がってきたとしても、被操作部の存在によって、ケース部材の開口部からの泡の溢れ出しをより確実に防止することができる。その結果、衛生性や快適性の向上を図ることができる。
【００４１】
尚、見栄えの向上や泡の溢れ出し防止という面では、被操作部によってケース部材の開口部を閉鎖したときに、ケース部材と被操作部の外縁部との間に形成される隙間が小さいほど好ましい。従って、隙間の大きさを０．５ｍｍ以下とすることが一層好ましく、隙間の大きさを０．３ｍｍ以下とすることがより一層好ましく、ケース部材及び被操作部間に隙間が存在しないように構成することが最も好ましい。
【図面の簡単な説明】
【００４２】
【図１】排水口を開状態としたときにおける操作装置や排水栓装置を示す一部破断正面図である。
【図２】排水口を開状態としたときにおける操作装置の斜視図である。
【図３】図２のＪ−Ｊ線断面図である。
【図４】排水口を開状態したときにおける蓋部を外した状態の操作装置の平面図である。
【図５】排水口を閉状態としたときにおける操作装置の斜視図である。
【図６】図５のＫ−Ｋ線断面図である。
【図７】排水口を閉状態したときにおける蓋部を外した状態の操作装置の平面図である。
【図８】排水口を閉状態としたときにおける操作装置や排水栓装置を示す一部破断正面図である。
【図９】別の実施形態において、水平方向に回動軸が延びる被操作部を示す斜視図である。
【図１０】別の実施形態において、排水口を開状態としたときの操作装置の断面図である。
【図１１】別の実施形態において、排水口を閉状態としたときの操作装置の断面図である。
【図１２】別の実施形態において、排水口を開状態としたときの操作装置の断面図である。
【図１３】別の実施形態において、排水口を閉状態としたときの操作装置の断面図である。
【図１４】別の実施形態において、排水口を開状態としたときの操作装置の断面図である。
【図１５】別の実施形態において、排水口を閉状態としたときの操作装置の断面図である。
【図１６】別の実施形態において、排水口を開状態としたときの操作装置の断面図である。
【図１７】別の実施形態において、排水口を閉状態としたときの操作装置の断面図である。
【発明を実施するための形態】
【００４３】
以下に、一実施形態について図面を参照しつつ説明する。図１に示すように、操作装置１は、槽体としての洗面ボール１００に取付けられている。洗面ボール１００は、底面を構成する底壁部１０１と、当該底壁部１０１の外側に立設された周壁部１０２とを備えている。また、底壁部１０１には、排水口１０３が貫通形成されており、周壁部１０２の上側には、取付孔としてのオーバーフロー口１０４が貫通形成されている。本実施形態において、オーバーフロー口１０４は、正面側（洗面ボール１００の貯水空間側）から見て矩形状をなしている。
【００４４】
まず、操作装置１の説明に先立って、排水口１０３に対応して設けられた排水栓装置１１０について説明する。
【００４５】
排水栓装置１１０は、排水口１０３を開閉する機能と、洗面ボール１００からの排水を下流に流すための流路としての機能とを備えている。排水栓装置１１０は、排水口１０３に挿設された円筒状の排水口部材１１１と、当該排水口部材１１１に螺合され、排水口部材１１１の上端部に設けられた鍔状部分との間で底壁部１０１を挟む込む状態とされた排水管１１２とを備えている。排水管１１２は、鉛直方向に沿って延び、排水口１０３等を通過した排水の流路を構成する本体管１１２Ａと、当該本体管１１２Ａから枝分かれした状態で延びる、それぞれ円筒状の取付管１１２Ｂ及び接続管１１２Ｃとを備えている。
【００４６】
取付管１１２Ｂは、本体管１１２Ａ内に突出する突起状の支持部１１３Ａを有してなる円柱状の栓蓋側駆動部１１３が取付けられる部位である。栓蓋側駆動部１１３は、取付管１１２Ｂに収容された状態となっている。栓蓋側駆動部１１３は、後述する伝達部材４３から加えられた駆動力により回動する部位を備えており、当該部位の回動に伴い支持部１１３Ａが上下動する。尚、本実施形態において、前記部位は、伝達部材４３の他端部と接続されており、伝達部材４３の往復移動に従って回動する。一方、接続管１１２Ｃは、後述するオーバーフロー管３の端部が接続される部位である。
【００４７】
さらに、本体管１１２Ａ内には、栓蓋ユニット１１４が配置されている。栓蓋ユニット１１４は、本体管１１２Ａの中心に配置される支持軸１１４Ａを有しており、当該支持軸１１４Ａの下端部には、支持部１１３Ａの鉛直上方に配置された円環状の通水部材１１４Ｂが設けられている。そして、支持部１１３Ａの上下動に伴い通水部材１１４Ｂが上下動することで、栓蓋ユニット１１４が上下動するようになっている。
【００４８】
また、支持軸１１４Ａの上端部には、栓蓋１１４Ｃが設けられている。栓蓋１１４Ｃは、弾性変形可能な材料（例えば、ゴムや樹脂等）によって環状に形成されたパッキン部１１４Ｄを自身の背面の外周側に備えている。そして、栓蓋ユニット１１４の上動に伴い、パッキン部１１４Ｄが底壁部１０１から離間することで、排水口１０３が開状態とされる。一方、栓蓋ユニット１１４の下動に伴い、パッキン部１１４Ｄの外周部分全周が底壁部１０１に接触することで、排水口１０３が閉状態とされる（図８参照）。
【００４９】
次いで、操作装置１について説明する。操作装置１は、主に栓蓋１１４Ｃを遠隔操作することで排水口１０３を開閉する際に用いられるものである。操作装置１は、ケース部材２と、オーバーフロー管３と、伝達体４と、アシスト力付与部５と、被操作部６とを備えている。
【００５０】
ケース部材２は、洗面ボール１００に対する操作装置１の取付部として機能するとともに、洗面ボール１００の水位が上がったときに排水が流れ込む流路を構成する部位である。ケース部材２は、フランジ部材２１及びエルボー部材２２を備えている。
【００５１】
フランジ部材２１は、オーバーフロー口１０４に挿設されており、図２及び図３に示すように、全体として矩形筒状をなしている。フランジ部材２１は、水平方向に対し若干だけ傾斜した状態の本体部２１１と、当該本体部２１１の一端部（洗面ボール１００の貯水空間側の端部）において外側に突出形成された鍔部２１２と、本体部２１１の他端部において内向きに突出形成された内向突部２１３とを備えている。内向突部２１３は、本体部２１１の中心軸を対称に２つ設けられており、各内向突部２１３には、本体部２１１の中心軸方向に沿って延びる図示しない挿通孔がそれぞれ形成されている。
【００５２】
さらに、フランジ部材２１（本体部２１１）の一端部開口は、洗面ボール１００における貯水空間側に開口する開口部２１５となっている。この開口部２１５が、ケース部材２の開口部に相当する。洗面ボール１００内の水は、開口部２１５を通ってケース部材２内へと流入可能となっている。
【００５３】
加えて、フランジ部材２１は、自身の上側の内周面に、下方に向けて突出する円柱状の上側軸部２１６Ａを備えており、また、自身の下側の内周面に、上方に向けて突出する円柱状の下側軸部２１６Ｂ（図１参照）を備えている。両軸部２１６Ａ，２１６Ｂは、被操作部６を回動可能な状態で軸支するためのものである。本実施形態において、両軸部２１６Ａ，２１６Ｂは、洗面ボール１００の貯水空間側から開口部２１５を見たとき、開口部２１５におけるその幅方向中心から右にずれた位置に設けられている。
【００５４】
また、フランジ部材２１は、洗面ボール１００の貯水空間側に位置する端面２１７を備えている。端面２１７が、ケース部材２の端面に相当する。端面２１７は、フランジ部材２１の内周面一端から鍔部２１２の外周縁にかけての部位であり、正面視矩形状となっている。尚、本実施形態において、端面２１７は、周壁部１０２から若干突出した状態となっている（図１参照）が、例えば端面２１７を周壁部１０２に設けた凹部に配置することで、端面２１７が周壁部１０２から突出しない（例えば、周壁部１０２とほぼ面一になる）ように構成してもよい。この場合、見栄えや安全性、使い勝手の向上を図ることができる。
【００５５】
エルボー部材２２は、オーバーフロー管３と接続されており（図１参照）、主として開口部２１５を通ってケース部材２内に流入した水をオーバーフロー管３内へと案内する機能を有する。エルボー部材２２は、本体部２１１と同軸状であり、水平方向に対し若干だけ傾斜した方向に延びる第一管部２２１と、当該第一管部２２１の他端側下部から下方に向けて延びる第二管部２２２とを備えている。
【００５６】
第一管部２２１は、本体部２１１よりも一回り大きな矩形筒状をなしており、自身の内側に自身の軸方向に延びるねじ穴（図示せず）を２つ有している。そして、オーバーフロー口１０４を通してフランジ部材２１（本体部２１１）を第一管部２２１へと挿通しつつ、所定の雄ねじ８１をフランジ部材２１の前記挿通孔を通して前記ねじ穴へと螺合し、鍔部２１２及び第一管部２２１の一端面により周壁部１０２を挟み込むことで、フランジ部材２１に対しエルボー部材２２が接続されるとともに、ケース部材２が洗面ボール１００に取付けられた状態となっている。
【００５７】
尚、第一管部２２１の一端面と周壁部１０２との間には、弾性変形可能な環状のシール部材８２（図１参照）が設けられている。当該シール部材８２によって、洗面ボール１００とケース部材２との間からの漏水防止が図られている。
【００５８】
さらに、図４に示すように、エルボー部材２２の上面部には、アシスト力付与部５及び伝達体４の後述する回動部４１Ａの収容空間を形成し、かつ、後述するチューブ部材４５の一端部を取付けるための収容取付部２２３が設けられている。収容取付部２２３は、上方に向けて突出した突起からなり、当該突起で画された内部領域が平面視したときに大小の矩形を並べた形状をなす動作部収容部２２３Ａと、当該動作部収容部２２３Ａにおける小さい方の矩形状の内部領域に隣接して設けられたチューブ取付部２２３Ｂとを備えている。動作部収容部２２３Ａは、アシスト力付与部５及び回動部４１Ａを収容するための空間を形成するためのものであり、チューブ取付部２２３Ｂは、チューブ部材４５の一端部を保持するためのものである。
【００５９】
加えて、エルボー部材２２の上面部であって動作部収容部２２３Ａ内の所定位置には、エルボー部材２２を貫通する貫通孔２２４（図１参照）が設けられている。
【００６０】
また、収容取付部２２３の上部を塞ぐようにして蓋部８３が設けられている（図２等参照。図１，４等では不図示）。蓋部８３は、例えばスナップフィットなどにより収容取付部２２３へと係止されることで取付けられている。蓋部８３によって、アシスト力付与部５やチューブ部材４５の一端部が脱落することなく保持されるようになっている。
【００６１】
図１に戻り、オーバーフロー管３は、円筒状をなしており、比較的柔軟な樹脂材料などにより形成されている。オーバーフロー管３は、一端部がケース部材２（第二管部２２２）に接続され、他端部が排水管１１２（接続管１１２Ｃ）に接続されている。すなわち、オーバーフロー管３は、自身の内部空間が排水口１０３を流れる排水の流路（排水管１１２の内部空間）と連通した状態となっている。従って、ケース部材２内に流入した水は、オーバーフロー管３を通って排水管１１２へと案内され、排水管１１２を通ってより下流へと排出されるようになっている。
【００６２】
伝達体４は、被操作部６の回動による駆動力を栓蓋１１４Ｃ側へと伝達するものである。伝達体４は、図３及び図４に示すように、伝達軸部４１、リンク部４２及び伝達部材４３を備えている。
【００６３】
伝達軸部４１は、前記貫通孔２２４に挿通されており（図１参照）、エルボー部材２２に対し、自身の中心軸を回動軸として相対回動可能に構成されている。伝達軸部４１の上端部には、外側に向けて突出する鍔状の回動部４１Ａが設けられている。回動部４１Ａは、エルボー部材２２の上面部に載置されており、エルボー部材２２によって回動可能な状態で支持されている。
【００６４】
また、回動部４１Ａは、自身の回動軸よりも外側に、伝達部材４３の一端部を接続するための被接続部４１Ｂを有している。被接続部４１Ｂは、二股状をなしており、伝達部材４３の一端部に設けられた球状の被保持部分を挟み込むようにして保持することで、回動部４１Ａ及び伝達部材４３を接続する。
【００６５】
さらに、伝達軸部４１における貫通孔２２４に挿通される部位の外周には、弾性変形可能な環状のシール部材８４（図１参照）が設けられている。当該シール部材８４によって、伝達軸部４１及びエルボー部材２２間からの漏水防止が図られている。
【００６６】
リンク部４２は、ケース部材２内において被操作部６及び伝達軸部４１間に介在されており、被操作部６が押圧されて回動したときに伝達軸部４１を回動させるためのものである。リンク部４２は、旋回アーム部４２Ａ及びアーム受け部４２Ｂを備えている。
【００６７】
旋回アーム部４２Ａは、被操作部６の裏面のうち、被操作部６における後述する開時押圧対象部６３側の幅方向端縁と被操作部６の回動軸ＣＬ２との間に位置する部位から伝達軸部４１側に向けて延びている。旋回アーム部４２Ａの先端部には、上方に突出する円柱部分が設けられている。
【００６８】
アーム受け部４２Ｂは、伝達軸部４１の外周において伝達軸部４１に対し相対回動不能な状態で設けられており、旋回アーム部４２Ａの先端部（前記円柱部分）が配置される窪み部分を有している。そして、被操作部６の回動に伴い旋回アーム部４２Ａが旋回移動することで、アーム受け部４２Ｂが回動し、ひいては伝達軸部４１が回動するようになっている。
【００６９】
伝達部材４３は、ワイヤー状をなし、例えば、金属線からなるより線などにより構成されている。伝達部材４３の一端部は、上記の通り、回動部４１Ａに接続されており、回動部４１Ａの回動に伴い、回動部４１Ａの回動軸ＣＬ１を中心とする円の接線にほぼ沿った方向に往復移動可能となっている。また、伝達部材４３のうちその両端部を除いた大部分は、長尺筒状をなすチューブ部材４５の内周に挿通されている。伝達部材４３は、チューブ部材４５に対し往復移動可能とされている。
【００７０】
尚、チューブ部材４５の一端部には、鍔状のフレア部分が設けられており、当該フレア部分が前記チューブ取付部２２３Ｂに嵌合されることで、チューブ部材４５の一端部が収容取付部２２３に取付けられている。一方、チューブ部材４５の他端部は、排水栓装置１１０（例えば、取付管１１２Ｂ）に取付けられている。これにより、チューブ部材４５によって、伝達部材４３が操作装置１側から排水栓装置１１０側へと案内された状態となっている。
【００７１】
アシスト力付与部５は、動作部収容部２２３Ａ内に配置されており、所定の金属線が螺旋状に巻回されてなるばね部材により構成されている。アシスト力付与部５の一端部は、エルボー部材２２に固定されている。一方、アシスト力付与部５の他端部は、アシスト力付与部５の一端から見て、回動部４１Ａの外周側部位のうち前記回動軸ＣＬ１よりも奥に位置する部位に固定されている。
【００７２】
アシスト力付与部５は、自然長よりも延びた状態で設けられており、回動部４１Ａが回動したときに、自身の一端部を中心として回動部４１Ａの回動軸ＣＬ１を跨るようにして旋回移動する（図４，７参照）。そして、アシスト力付与部５の中心軸が回動軸ＣＬ１上に位置していない状態である限り、アシスト力付与部５にて生じる引張力により、回動部４１Ａに対し当該回動部４１Ａを回動させる方向の力が加わるようになっている。このとき、アシスト力付与部５から回動部４１Ａに加わる力の向きは、アシスト力付与部５の中心軸と回動軸ＣＬ１との位置関係により変化する。
【００７３】
本実施形態では、排水口１０３が開状態であるときに、後述する開時押圧対象部６３を押圧移動させていき、アシスト力付与部５の中心軸が回動軸ＣＬ１を超えると、アシスト力付与部５から回動部４１Ａに対し、開時押圧対象部６３を押圧移動させる方向の力が加わる。一方、排水口１０３が閉状態であるときに、後述する閉時押圧対象部６２を押圧移動させていき、アシスト力付与部５の中心軸が回動軸ＣＬ１を超えると、アシスト力付与部５から回動部４１Ａに対し、閉時押圧対象部６２を押圧移動させる方向の力が加わる。つまり、排水口１０３の開閉状態を切換える際には、アシスト力付与部５から、押圧対象の回動を補助する方向の力が加わるようになっている。
【００７４】
尚、排水口１０３を閉状態又は開状態としているときには、アシスト力付与部５から加わる力が被操作部６の回動を抑制するロック力として働くことになる。
【００７５】
被操作部６は、図２及び図３に示すように、正面視矩形状をなしており、排水口１０３を開閉する際に使用者によって操作される部位である。尚、本実施形態において、被操作部６及び旋回アーム部４２Ａは、１の部材により構成されている。
【００７６】
被操作部６は、開口部２１５に配置されるとともに、ケース部材２の奥側に向けて突出する挟持部６１を備えており、当該挟持部６１によって前記両軸部２１６Ａ，２１６Ｂを挟持した状態となっている。これにより、被操作部６は、前記両軸部２１６Ａ，２１６Ｂを回動中心として、回動可能に軸支されている。本実施形態において、被操作部６の回動軸ＣＬ２は、当該回動軸ＣＬ２と直交する方向に沿った被操作部６の中心ＣＮ１よりも次述する開時押圧対象部６３側へとずれた位置に設けられている。
【００７７】
また、被操作部６は、自身の回動軸ＣＬ２を挟むように位置する閉時押圧対象部６２及び開時押圧対象部６３を有している。閉時押圧対象部６２は、排水口１０３が閉状態であるとき、排水口１０３を開状態とする際に押圧操作される部位である。一方、開時押圧対象部６３は、排水口１０３が開状態であるとき、排水口１０３を閉状態とする際に押圧操作される部位である。閉時押圧対象部６２又は開時押圧対象部６３を押圧することで、被操作部６を回動させることができ、ひいては排水口１０３の開閉状態を切換えることができる。
【００７８】
具体的には、排水口１０３が閉状態であるときに、被操作部６は、閉時押圧対象部６２が端面２１７から突出するとともに、開時押圧対象部６３がケース部材２内に没入した状態とされている（図５〜７参照）。この状態において、閉時押圧対象部６２を押圧し、被操作部６を一方側へと回動させることで、リンク部４２が動作して伝達軸部４１が一方側に回動し、ひいては伝達部材４３が往動する。これにより、栓蓋側駆動部１１３が回動し、支持部１１３Ａが上動することで、栓蓋ユニット１１４が上動する。そして、パッキン部１１４Ｄが底壁部１０１から離間することで、排水口１０３が開状態とされる。
【００７９】
一方、排水口１０３が開状態であるときに、被操作部６は、閉時押圧対象部６２及び開時押圧対象部６３のそれぞれの表面が前記端面２１７とほぼ面一となった状態になる（図２〜４参照）。尚、「ほぼ面一」とあるのは、厳密な面一のみを意味するものではなく、閉時押圧対象部６２等の表面から端面２１７にかけて、若干（例えば、５ｍｍ以下。より好ましくは３ｍｍ以下）の凹凸や隙間、段差が存在する場合も含むという趣旨である。この状態において、開時押圧対象部６３を押圧し、被操作部６を他方側へと回動させることで、リンク部４２が動作して回動部４１Ａが他方側に回動し、ひいては伝達部材４３が復動する。これにより、栓蓋側駆動部１１３が回動し、支持部１１３Ａが下動することで、栓蓋ユニット１１４が下動する。そして、パッキン部１１４Ｄが底壁部１０１に接触することで、排水口１０３が閉状態とされる。
【００８０】
尚、排水口１０３が閉状態となり、閉時押圧対象部６２が端面２１７から突出した状態では、閉時押圧対象部６２の裏側部分とケース部材２との間を通って、ケース部材２内へと排水が容易に流入可能となる。
【００８１】
一方、排水口１０３が開状態となり、閉時押圧対象部６２及び開時押圧対象部６３のそれぞれの表面と前記端面２１７とがほぼ面一となった状態では、被操作部６により開口部２１５が閉鎖され、ケース部材２と被操作部６との間における隙間がほとんどない（隙間が１ｍｍ以下の）状態となる。尚、見栄えの向上などの面では、隙間は小さいほど好ましい。従って、隙間の大きさを０．５ｍｍ以下とすることがより好ましく、隙間の大きさを０．３ｍｍ以下とすることがより一層好ましく、ケース部材２及び被操作部６の間に隙間が存在しないように構成することが最も好ましい。
【００８２】
以上詳述したように、本実施形態によれば、排水口１０３を閉状態から開状態に切換える場合、つまり、栓蓋１１４Ｃを持ち上げるために、被操作部６の操作に比較的大きな押圧力が必要となる場合（尚、洗面ボール１００に水が溜まっているときには特に大きな押圧力が必要となる）には、閉時押圧対象部６２が操作対象となる。一方、排水口１０３を開状態から閉状態に切換える場合、つまり、栓蓋１１４Ｃを下げるだけでよいため、排水口１０３を閉状態から開状態へと切換える場合と比較して、切換に要する押圧力が小さくて済む場合には、開時押圧対象部６３が操作対象となる。
【００８３】
その上で、被操作部６の回動軸ＣＬ２は、被操作部６の中心ＣＮ１よりも開時押圧対象部６３側へとずれた位置に設けられている。従って、閉時押圧対象部６２が操作対象である場合、押圧移動量（ストローク量）は比較的大きなものとなるが、小さな押圧力で被操作部を回動させることができる。一方、開時押圧対象部６３が操作対象である場合、押圧力はやや大きなものとなるが、小さな押圧移動量（ストローク量）で被操作部６を回動させることができる。このように本実施形態によれば、通常大きな押圧力が必要となる、排水口１０３を閉状態から開状態へと切換える場合には、閉時押圧対象部６２を操作対象とすることで、切換に要する押圧力の低減を図ることができ、一方、通常押圧力が小さくて済む、排水口１０３を開状態から閉状態へと切換える場合には、開時押圧対象部６３を操作対象とすることで、切換に要する押圧移動量（ストローク量）の低減を図ることができる。その結果、被操作部６の操作を極めて容易に行うことができ、非常に良好な操作性（操作感）を得ることができる。
【００８４】
また、被操作部６を引くことなく、常に押圧することによって、排水口１０３を開閉することができる。従って、排水口１０３を開状態又は閉状態へと切換える際に被操作部６の操作方向が異なる場合と比して、操作をより容易に行うことが可能となり、操作性をさらに高めることができる。
【００８５】
加えて、本実施形態の操作装置１は、被操作部６を回動させることで栓蓋１１４Ｃの操作を行うものであるため、被操作部を往復移動させることで栓蓋の操作を行う従来の操作装置とは全く異なる新鮮な操作感を使用者に与えることができる。
【００８６】
さらに、本実施形態では、被操作部６の回動にて生じる駆動力のみによって伝達体４を動作させて、排水口１０３を開閉させることができる。従って、伝達体４を戻り方向（排水口１０３を開状態から閉状態へと切換える際の方向）に動作させるための戻り力付与部（例えば、ばね部材など）を不要とすることができる。従って、製造コストの低減を図ることができる。また、戻り力付与部の存在によって操作時に大きな押圧力が必要になるといったこともないため、操作性を一層向上させることができる。
【００８７】
さらに、排水口１０３を開状態としたときに、閉時押圧対象部６２及び開時押圧対象部６３のそれぞれの表面（すなわち、被操作部６の表面）が端面２１７とほぼ面一となる。従って、少なくとも排水口１０３が開状態であるときには、被操作部６が邪魔となりにくくなり、使用者にとっての使い勝手を高めることができる。また、被操作部６の表面が端面２１７とほぼ面一となることで、被操作部６に対して手などが引っ掛かりにくくなり、安全性の向上を図ることができる。さらに、被操作部６及び端面２１７をほぼ面一とした状態において、ケース部材２及び被操作部６は外観上非常にまとまりの良い状態となり、見栄えをより良好なものとすることができる。
【００８８】
一方、排水口１０３を閉状態としたときには、閉時押圧対象部６２の表面が開口部２１５から突出した状態となる。すなわち、排水口１０３を閉状態としたときには、排水口１０３を開状態へと切換える際に操作対象となる部位が端面２１７から突出した状態となる。従って、使用者に対し操作対象を容易に認識させることができる。また、操作時には、被操作部６における突出部分を押圧することになるため、押圧操作を極めて容易に行うことができる。これらの結果、操作性の更なる向上を図りつつ、使い勝手をより高めることができる。
【００８９】
さらに、閉時押圧対象部６２は、常に端面２１７と面一な状態又は端面２１７から突出した状態となることから視認しやすいところ、この閉時押圧対象部６２の移動量（ストローク量）が比較的大きいため、排水口１０３の開閉状態に応じて、外観上、被操作部６の状態を大きく変動させることができる。そのため、被操作部６の状態から排水口１０３の開閉状態を把握することが容易となり、使い勝手を一層高めることができる。
【００９０】
尚、本実施形態では、排水口１０３を開状態から閉状態へと切換える際に、開時押圧対象部６３の表面をケース部材２内へと押し込む操作が必要となるため、操作がやや行いにくいといったことが考えられるが、上記の通り、排水口１０３を開状態から閉状態へと切換える際に要する開時押圧対象部６３の押圧移動量（ストローク量）は小さくて済む。そのため、押し込み操作を容易なものとすることができ、良好な操作性を得ることができる。
【００９１】
また、槽体が洗面ボール１００である場合、排水口１０３を開状態で維持することが多く、排水口１０３が開状態であるときが通常状態であるところ、本実施形態では、この通常状態において、被操作部６が邪魔とならず、また、外観上まとまりの良い状態を実現することができる。そのため、使い勝手や見栄えなどを効果的に向上させることができる。
【００９２】
加えて、排水口１０３を開状態としたときに、被操作部６によってケース部材２の開口部２１５が閉鎖された状態となる。従って、ケース部材２内の汚れなどが視認しにくい状態となり、見栄えをより一層向上させることができる。
【００９３】
さらに、排水口１０３が開状態であるとき、つまり、排水口１０３などで泡が特に生じやすいときに、被操作部６によって開口部２１５が閉鎖された状態となる。従って、オーバーフロー管３を泡が上がってきたとしても、被操作部６の存在によって、開口部２１５からの泡の溢れ出しをより確実に防止することができる。その結果、衛生性や快適性の向上を図ることができる。
【００９４】
尚、上記実施形態の記載内容に限定されず、例えば次のように実施してもよい。勿論、以下において例示しない他の応用例、変更例も当然可能である。
【００９５】
（ａ）上記実施形態において、両軸部２１６Ａ，２１６Ｂは、洗面ボール１００の貯水空間側から見たとき、開口部２１５におけるその幅方向中心から右にずれた位置に設けられている。これにより、洗面ボール１００の貯水空間側から見たとき、被操作部６の回動軸ＣＬ２は、被操作部６の中心ＣＮ１よりも右側にずれた状態となっている。これに対し、両軸部２１６Ａ，２１６Ｂを、洗面ボール１００の貯水空間側から見たとき、開口部２１５におけるその幅方向中心から左にずれた位置に設け、ひいては回動軸ＣＬ２を、洗面ボール１００の貯水空間側から見たとき、被操作部６の中心ＣＮ１から左にずれた位置に設けることとしてもよい。
【００９６】
また、図９に示すように、水平方向に延びるとともに、自身と直交する方向に沿った被操作部９１の中心ＣＮ２から開時押圧対象部９１３側にずれた位置に設けられるように、被操作部９１の回動軸ＣＬ３を構成してもよい。
【００９７】
（ｂ）上記実施形態では、槽体として洗面ボール１００を例示しているが、本発明の技術思想を適用可能な槽体は洗面ボールに限定されるものではない。従って、例えば、浴槽やキッチンの流し台などに対し本発明の技術思想を適用することとしてもよい。
【００９８】
（ｃ）図１０及び図１１に示すように、排水口１０３が開状態であるときに、開時押圧対象部９２３の表面が端面２１７から突出し、排水口１０３が閉状態であるときに、閉時押圧対象部９２２の表面が端面２１７から突出するように被操作部９２を構成してもよい。図１０は、排水口１０３が開状態であるときを示し、図１１は、排水口１０３が閉状態であるときを示す。
【００９９】
このように構成した場合には、両押圧対象部９２２，９２３のうち操作対象となる側が、端面２１７から突出した状態となる。従って、使用者に対し操作対象をより容易に認識させることができる。また、操作時には、被操作部９２における突出部分を押圧することになるため、押圧操作を極めて容易に行うことができる。これらの結果、操作性や使い勝手の更なる向上を図ることができる。
【０１００】
尚、上記の構成を採用しつつ、排水口１０３が開状態であるときに閉時押圧対象部９２２の表面が端面２１７とほぼ面一となり、排水口１０３が閉状態であるときに開時押圧対象部９２３の表面が端面２１７とほぼ面一となるように構成してもよい。この場合には、両押圧対象部９２２，９２３のうち操作対象でない側の表面は、端面２１７とほぼ面一となり、目立たない状態となる。そのため、使用者が操作対象を一層容易に認識することができる。また、見栄えなどの向上を一層確実に図ることができる。
【０１０１】
（ｄ）図１２及び図１３に示すように、例えば、被操作部９３における閉時押圧対象部９３３に対応する部位に凸部を設けることで、排水口１０３が開状態であるときに、開時押圧対象部９３３の表面が端面２１７から突出する一方、排水口１０３が閉状態であるときに、開時押圧対象部９３３の表面がケース部材２内に没入した状態となるように構成してもよい。図１２は、排水口１０３が開状態であるときを示し、図１３は、排水口１０３が閉状態であるときを示す。
【０１０２】
上記のように構成した場合には、排水口１０３を開状態から閉状態へと切換える際に、突出状態の開時押圧対象部９３３の表面を押圧することになるため、押圧操作を容易に行うことができる。また、突出した開時押圧対象部９３３は、操作（押圧）対象を示す目印としても機能する。さらに、ケース部材２内への開時押圧対象部９３３の押込量（端面２１７に対する開時押圧対象部９３３の没入量）を小さくすることも可能となる。これらの結果、操作性や使い勝手を一層向上させることができる。
【０１０３】
一方、排水口１０３が閉状態であるとき、開時押圧対象部９３３の表面はケース部材２内に没入した状態となるため、排水口１０３を閉状態から開状態へと切換える際に、誤って開時押圧対象部９３３を押圧してしまうといった事態がより生じにくくなる。従って、操作性や使い勝手などをより効果的に向上させることができる。
【０１０４】
さらに、排水口１０３が閉状態であるときに開時押圧対象部９３３の表面がケース部材２内に没入した状態となるように構成することで、結果的に、排水口１０３が開状態であるときにおける開時押圧対象部９３３の突出量を小さく抑えることができる。そのため、常に（排水口１０３が開状態であっても閉状態であっても）開時押圧対象部９３３が邪魔となりにくい状態を実現することができ、安全性や利便性を一層高めることができる。
【０１０５】
（ｅ）図１４及び図１５に示すように、排水口１０３が開状態であるときに、開時押圧対象部９４３の表面が端面２１７とほぼ面一となる一方、閉時押圧対象部９４２の表面がケース部材２内に没入し、排水口１０３が閉状態であるときに、開時押圧対象部９４３の表面がケース部材２内に没入する一方、閉時押圧対象部９４２の表面が端面２１７とほぼ面一となるように被操作部９４を構成してもよい。図１４は、排水口１０３が開状態であるときを示し、図１５は、排水口１０３が閉状態であるときを示す。
【０１０６】
このように構成した場合には、排水口１０３が開状態であっても閉状態であっても、被操作部９４が端面２１７から突出した状態とはならない。従って、常にすっきりとした外観を呈することとなり、より良好な見栄えを実現することができる。また、被操作部９４に対し手や道具（器具）などが引っ掛かるといった事態がほぼ生じなくなり、安全性や利便性の向上を一層図ることができる。
【０１０７】
さらに、両押圧対象部９４２，９４３のうち操作対象となる側の表面が端面２１７とほぼ面一となり、操作対象ではない側の表面はケース部材２内に没した状態となる。従って、使用者に対し操作対象をより容易に認識させることができ、操作性や使い勝手を十分に高めることができる。
【０１０８】
（ｆ）上記実施形態では、排水口１０３が閉状態であるとき、閉時押圧対象部６２及び開時押圧対象部６３のそれぞれの表面が端面２１７とほぼ面一となるように構成されている。これに対し、図１６及び図１７に示すように、排水口１０３が開状態であるとき、閉時押圧対象部９５２及び開時押圧対象部９５３のそれぞれの表面が端面２１７とほぼ面一となるように被操作部９５を構成してもよい。図１６は、排水口１０３が開状態であるときを示し、図１７は、排水口１０３が閉状態であるときを示す。
【０１０９】
このように構成した場合には、排水口１０３を閉状態としたときに、被操作部９５に対して手などが引っ掛かりにくくなり、安全性の向上を図ることができる。さらに、被操作部９５及び端面２１７をほぼ面一とした状態において、ケース部材２及び被操作部９５は外観上非常にまとまりの良い状態となり、見栄えをより良好なものとすることができる。
【０１１０】
また、排水口１０３を開状態としたときには、開時押圧対象部９５３の表面が端面２１７から突出した状態となり、排水口１０３を閉状態へと切換える際に操作対象となる部位が端面２１７から突出した状態となる。従って、使用者に対し操作対象を容易に認識させることができる。また、操作時には、被操作部９５における突出部分を押圧することになるため、押圧操作を極めて容易に行うことができる。これらの結果、操作性の更なる向上を図りつつ、使い勝手をより高めることができる。
【０１１１】
加えて、開時押圧対象部９５３が端面２１７から突出した状態となったときには、開時押圧対象部９５３の突出量を小さく抑えることができる。そのため、安全性の向上をより確実に図ることができる。
【０１１２】
尚、この構成は、槽体が浴槽などである場合に特に有効である。このような槽体では、使用時に、基本的には排水口１０３が閉状態とされるため、排水口１０３が閉状態であるときが通常状態である。従って、排水口１０３が閉状態であるときに閉時押圧対象部９５２等の表面と端面２１７とがほぼ面一となるように構成することで、通常状態において、被操作部９５が邪魔とならず、また、外観上まとまりの良い状態を実現することができる。そのため、使い勝手や見栄えなどを効果的に向上させることができる。
【０１１３】
（ｇ）上記実施形態において、ケース部材２はオーバーフロー口１０４に挿設されており、操作装置１はオーバーフロー口１０４に対応して設けられている。これに対し、例えば、槽体に対し設けられたオーバーフロー口以外の取付孔にケース部材２を挿設し、この取付孔に対応して操作装置１を設けることとしてもよい。また、槽体の近傍に設けられた構造物（例えば、洗面ボール近傍に設けられたカウンタや流し台のカウンタ、浴槽の周壁部を覆うようにして設けられたエプロン、槽体の周壁部の上端から外側に延びるフランジ部分など）に取付孔を設けるとともに、当該取付孔にケース部材２を挿設し、この取付孔に対応して操作装置１を設けることとしてもよい。
【０１１４】
（ｈ）上記実施形態において、アシスト力付与部５はばね部材により構成されているが、アシスト力付与部をその他の構成により実現してもよい。例えば、ばね部材及びカムを備えた機構や、マグネットを備えた機構によりアシスト力付与部を構成してもよい。尚、アシスト力付与部５を設けないこととしてもよい。
【０１１５】
（ｉ）上記実施形態において、被操作部６は、正面視矩形状とされているが、被操作部の形状はこれらに限定されるものではない。従って、例えば、被操作部を正面視多角形状や正面視オーバル形状などとしてもよい。
【０１１６】
（ｊ）上記実施形態では、栓蓋１１４Ｃ（パッキン部１１４Ｄ）が底壁部１０１に接触することで排水口１０３が閉鎖されるように構成されているが、栓蓋１１４Ｃ（パッキン部１１４Ｄ）が排水口部材１１１に接触することで排水口１０３が閉鎖されるように構成してもよい。
【０１１７】
（ｋ）上記実施形態において、栓蓋１１４Ｃは、支持部１１３Ａを備えた栓蓋側駆動部１１３の回動動作により上下動するように構成されているが、栓蓋１１４Ｃを上下動させるための機構を適宜変更してもよい。従って、例えば、支持軸１１４Ａの下方に配置され、伝達部材４３の往復運動に伴い上下動する棒状の支持部によって、栓蓋１１４Ｃを上下動させるように構成してもよい。
【０１１８】
（ｌ）上記実施形態では設けられていないが、排水口１０３を開状態から閉状態へと切換える際に伝達体４に対し力を加えることで、伝達体４を戻り方向に動作させるための戻り力付与部（例えば、ばね部材など）を設けてもよい。
【符号の説明】
【０１１９】
１…操作装置、２…ケース部材、３…オーバーフロー管、４…伝達体、６，９１，９２，９３，９４，９５…被操作部、６２，９２２，９３２，９４２，９５２…閉時押圧対象部、６３，９１３，９２３，９３３，９４３，９５３…開時押圧対象部、１００…洗面ボール（槽体）、１０３…排水口、１０４…オーバーフロー口（取付孔）、２１７…（ケース部材の）端面、ＣＬ２，ＣＬ３…（被操作部の）回動軸、ＣＮ１，ＣＮ２…（被操作部の）中心。
【図１】
2019031819.tif 000003
【図２】
2019031819.tif 000004
【図３】
2019031819.tif 000005
【図４】
2019031819.tif 000006
【図５】
2019031819.tif 000007
【図６】
2019031819.tif 000008
【図７】
2019031819.tif 000009
【図８】
2019031819.tif 000010
【図９】
2019031819.tif 000011
【図１０】
2019031819.tif 000012
【図１１】
2019031819.tif 000013
【図１２】
2019031819.tif 000014
【図１３】
2019031819.tif 000015
【図１４】
2019031819.tif 000016
【図１５】
2019031819.tif 000017
【図１６】
2019031819.tif 000018
【図１７】
2019031819.tif 000019